【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
予め定められた処理を実行する実行手段と、
複数の第１の処理からなる第２の処理の実行を指示する指示情報とともに前記第２の処理の実行要求を受け付ける実行要求受付手段と、
前記指示情報で実行を指示されている前記第２の処理を実行するに際して行う情報の漏洩防止のための処理である情報漏洩防止処理のうち、他の処理装置で実行済であるものを除き、前記複数の第１の処理のうち前記実行手段で実行することが前記指示情報で要求されているものを処理する場合に実行すべきものが実行できることを条件に当該第１の処理を前記処理手段で処理することを指示する処理指示手段と、
前記複数の第１の処理のうち前記処理手段で実行することが前記指示情報で要求されているものを処理する際に実行すべき前記情報漏洩防止処理を実行できるときは、当該情報漏洩防止処理を実行する情報漏洩防止処理実行手段と、
前記情報漏洩防止処理実行手段により前記複数の第１の処理のうち前記実行手段で実行することが前記指示情報で要求されているものを処理する場合に実行すべき前記情報漏洩防止処理を実行したときは当該実行の事実を前記指示情報に記録する記録手段と、
前記第１の処理を前記実行手段で実行した場合に前記指示情報に基づいて次に前記第１の処理を実行すべき他の処理装置があるときは、当該処理装置に前記指示情報とともに前記第２の処理の実行要求を送信する送信手段と、
を備えている処理装置。
【請求項２】
予め定められた処理を実行する実行手段と、
複数の第１の処理からなる第２の処理の実行を指示する指示情報とともに前記第２の処理の実行要求を受け付ける実行要求受付手段と、
前記複数の第１の処理のうち自機で実行すべきものの処理を前記実行手段で処理することを指示する処理指示手段と、
前記複数の第１の処理のうち前記処理手段で実行することが前記指示情報で要求されているものを処理する場合に実行すべきである、前記指示情報で実行を指示されている前記第２の処理を実行する場合に行う情報の漏洩防止のための処理である前記情報漏洩防止処理を実行する情報漏洩防止処理実行手段と、
前記第１の処理を前記実行手段で実行したときに前記指示情報に基づいて次に前記第１の処理を実行すべき他の処理装置があるときは、前記指示情報で実行を指示されている前記情報漏洩防止処理のうち他の処理装置又は自機で実行済であるものを除き、前記指示情報で次に実行すべき前記第１の処理を当該第１の処理の実行に伴って必要な前記情報漏洩防止処理とともに実行できる他の処理装置を検索する検索手段と、
前記検索手段で検索した処理装置に前記指示情報とともに前記第２の処理の実行要求を送信する送信手段と、
を備えている処理装置。
【請求項３】
予め定められた処理を実行する実行手段と、
複数の第１の処理からなる第２の処理の実行を指示する指示情報とともに確認要求を受け付ける確認要求受付手段と、
前記確認要求受付手段で受け付けた前記指示情報で実行を指示されている前記第２の処理を実行する場合に行う情報の漏洩防止のための処理である情報漏洩防止処理のうち、他の処理装置で実行可能であるとされたものを除き、前記複数の第１の処理のうち前記実行手段で実行することが前記指示情報で要求されているものを処理する際に実行すべきものが実行できるか否かを判断し、当該実行の可否並びに当該実行ができるときは前記情報漏洩防止処理及び本装置をそれぞれ識別する識別子を記録する第１の記録手段と、
前記第１の記録手段で前記記録を行ったときに前記指示情報に他の処理装置で前記実行の可否が記録されていないものがある場合は、当該処理装置に前記指示情報とともに確認要求を送信する第１の送信手段と、
前記指示情報とともに前記第２の処理の実行要求を受け付ける実行要求受付手段と、
前記実行要求受付手段で受け付けた前記指示情報で実行すべきものと指示されている前記第１の処理を前記実行手段で処理することを指示する処理指示手段と、
前記情報漏洩防止処理及び本装置をそれぞれ識別する識別子とともに実行可能なものとして前記指示情報に記録されている前記情報漏洩防止処理を実行する情報漏洩防止処理実行手段と、
前記第１の処理を前記実行手段で実行した場合に前記指示情報に基づいて次に前記第１の処理を実行すべき他の処理装置があるときは、当該処理装置に前記指示情報とともに前記第２の処理の実行要求を送信する第２の送信手段と、
を備えている処理装置。
【請求項４】
予め定められた処理を実行する実行手段を有する複数台の処理装置と、
複数の第１の処理からなる第２の処理について前記複数台の処理装置で前記各第１の処理を分担して処理するように指示する指示情報とともに当該第２の処理の実行要求を行う実行要求装置と、
を備え、
前記各処理装置は、
前記指示情報とともに前記第２の処理の実行要求を受け付ける実行要求受付手段と、
前記指示情報で実行を指示されている前記第２の処理を実行する場合に行う情報の漏洩防止のための処理である情報漏洩防止処理のうち、他の処理装置で実行済であるとされているものを除き、前記複数の第１の処理のうち前記処理手段で実行することが前記指示情報で要求されているものを処理する場合に実行すべきものが実行できることを条件に当該第１の処理を前記実行手段で処理することを指示する処理指示手段と、
前記複数の第１の処理のうち前記実行手段で実行することが前記指示情報で要求されているものを処理する場合に実行すべき前記情報漏洩防止処理を実行できる場合は、当該情報漏洩防止処理を実行する情報漏洩防止処理実行手段と、
前記情報漏洩防止処理実行手段により前記複数の第１の処理のうち前記処理手段で実行することが前記指示情報で要求されているものを処理する場合に実行すべき前記情報漏洩防止処理を実行したときは当該実行の事実を前記指示情報に記録する記録手段と、
前記第１の処理を前記処理手段で実行した場合に前記指示情報に次に前記第１の処理を実行すべき他の処理装置が記録されている場合は、当該処理装置に前記指示情報とともに前記第２の処理の実行要求を送信する送信手段と、
を備えている、
処理システム。
【請求項５】
予め定められた処理を実行する実行手段と、
複数の第１の処理からなる第２の処理の実行を指示する指示情報とともに前記第２の処理の実行要求を受け付ける実行要求受付手段と、
前記指示情報で実行を指示されている前記第２の処理を実行するに際して行う情報の漏洩防止のための処理である情報漏洩防止処理のうち、他の処理装置で実行済であるものを除き、前記複数の第１の処理のうち予め定められた処理を実行する実行手段で実行することが前記指示情報で要求されているものを処理する場合に実行すべきものが実行できることを条件に当該第１の処理を前記処理手段で処理することを指示する処理指示手段と、
前記複数の第１の処理のうち前記処理手段で実行することが前記指示情報で要求されているものを処理する際に実行すべき前記情報漏洩防止処理を実行できるときは、当該情報漏洩防止処理を実行する情報漏洩防止処理実行手段と、
前記情報漏洩防止処理実行手段により前記複数の第１の処理のうち前記実行手段で実行することが前記指示情報で要求されているものを処理する場合に実行すべき前記情報漏洩防止処理を実行したときは当該実行の事実を前記指示情報に記録する記録手段と、
前記第１の処理を前記実行手段で実行した場合に前記指示情報に基づいて次に前記第１の処理を実行すべき他の処理装置があるときは、当該処理装置に前記指示情報とともに前記第２の処理の実行要求を送信する送信手段と、
とコンピュータに実行させるコンピュータに読取可能な処理制御プログラム。
【請求項６】
原稿の画像を読み取る読取手段と、
前記読取手段で読み取った画像データに基づいてイメージログを作成する作成手段と、
前記読取手段で読み取った画像データに基づいてＰＤＦデータを作成し、当該ＰＤＦデータを他装置に送信する送信手段と、
を有し、
前記送信手段に基づいて前記ＰＤＦデータを作成し当該ＰＤＦデータを送信する場合に、前記作成手段によって前記イメージログを作成してないときは、少なくとも前記作成手段によってイメージログを作成してから前記送信手段によって送信する、
処理装置。
【手続補正２】
【補正対象書類名】明細書
【補正対象項目名】０００９
【補正方法】変更
【補正の内容】
【０００９】
請求項５に記載の発明は、予め定められた処理を実行する実行手段と、複数の第１の処理からなる第２の処理の実行を指示する指示情報とともに前記第２の処理の実行要求を受け付ける実行要求受付手段と、前記指示情報で実行を指示されている前記第２の処理を実行するに際して行う情報の漏洩防止のための処理である情報漏洩防止処理のうち、他の処理装置で実行済であるものを除き、前記複数の第１の処理のうち予め定められた処理を実行する実行手段で実行することが前記指示情報で要求されているものを処理する場合に実行すべきものが実行できることを条件に当該第１の処理を前記処理手段で処理することを指示する処理指示手段と、前記複数の第１の処理のうち前記処理手段で実行することが前記指示情報で要求されているものを処理する際に実行すべき前記情報漏洩防止処理を実行できるときは、当該情報漏洩防止処理を実行する情報漏洩防止処理実行手段と、前記情報漏洩防止処理実行手段により前記複数の第１の処理のうち前記実行手段で実行することが前記指示情報で要求されているものを処理する場合に実行すべき前記情報漏洩防止処理を実行したときは当該実行の事実を前記指示情報に記録する記録手段と、前記第１の処理を前記実行手段で実行した場合に前記指示情報に基づいて次に前記第１の処理を実行すべき他の処理装置があるときは、当該処理装置に前記指示情報とともに前記第２の処理の実行要求を送信する送信手段と、をコンピュータに実行させるコンピュータに読取可能な処理制御プログラムである。
請求項６に記載の発明は、原稿の画像を読み取る読取手段と、前記読取手段で読み取った画像データに基づいてイメージログを作成する作成手段と、前記読取手段で読み取った画像データに基づいてＰＤＦデータを作成し、当該ＰＤＦデータを他装置に送信する送信手段と、を有し、前記送信手段に基づいて前記ＰＤＦデータを作成し当該ＰＤＦデータを送信する場合に、前記作成手段によって前記イメージログを作成してないときは、少なくとも前記作成手段によってイメージログを作成してから前記送信手段によって送信する、処理装置である。